(57)【特許請求の範囲】
【請求項１】
プラント監視システムであって、
プラントの状態を監視するための少なくとも一つの監視装置と、
前記監視装置に無線接続される携帯端末と、
を備え、
前記監視装置は、主表示手段および主操作手段を有し、
前記監視装置は、予め設定される複数エリア毎にそれぞれ異なる構成の所定の画面を予め記憶しており、
前記携帯端末を前記監視装置に対して所定の範囲内に位置させることで、前記監視装置は前記携帯端末の存在を検出し、
前記携帯端末の存在を検出した前記監視装置が前記携帯端末に、無線通信により所定の第１情報を送信し、
前記所定の第１情報を受信した前記携帯端末が前記監視装置に、無線通信により前記携帯端末の位置情報を含む所定の第２情報を送信し、
前記所定の第２情報を受信した前記監視装置は、前記携帯端末を、前記主表示手段および前記主操作手段を補助する副表示手段および副操作手段を有する、前記監視装置のマンマシンインターフェース装置として無線接続し、前記複数エリアのうち前記携帯端末の位置情報の属するエリアに対応づけられた所定の画面を前記携帯端末に提供する、
プラント監視システム。
【請求項２】
前記携帯端末を前記監視装置に対して所定の範囲内に位置させるとは、前記携帯端末と前記監視装置が非接触で互いの存在を認識可能な範囲に位置させることを意味する、
請求項１に記載のプラント監視システム。
【請求項３】
前記携帯端末は、所定周波数の電波を受信すると予め記憶している所定のコードを送信する無線タグを備えており、
前記監視装置は、前記所定周波数の電波を送信し、前記携帯端末からの前記所定のコードを受信する受信装置を備えており、
前記携帯端末が前記監視装置に対して前記所定の範囲内に位置すると、前記監視装置からの前記所定周波数の電波を前記携帯端末が受信して前記所定のコードを送信し、前記監視装置が前記所定のコードを受信することで前記携帯端末の存在を検出する、
請求項２に記載のプラント監視システム。
【請求項４】
前記所定の第１情報は、前記携帯端末が前記所定の第２情報を前記監視装置に送信することを要求するための情報である、
請求項３に記載のプラント監視システム。
【請求項５】
前記所定の第２情報は、前記携帯端末が事前に登録された携帯端末であることを示す認証情報である、
請求項４に記載のプラント監視システム。
【請求項６】
前記携帯端末は複数存在し、
前記複数の携帯端末のうちいずれか１つの携帯端末と前記監視装置とが前記無線通信を介して接続されている場合は、前記複数の携帯端末のうち他の携帯端末と前記監視装置との接続が禁止される、
請求項５に記載のプラント監視システム。
【請求項７】
前記監視装置に前記無線通信を介して接続されている前記携帯端末が、予め設定される所定距離以上離れた場合、前記携帯端末と前記監視装置との接続が解除される、
請求項６に記載のプラント監視システム。
【請求項８】
前記監視装置は、予め設定される所定の異常事態が発生したと判定した場合に、予め登録されている所定の携帯端末に向けて、前記監視装置への接続を促す画面を送信する、
請求項１〜６のいずれかに記載のプラント監視システム。
【請求項９】
前記携帯端末および前記監視装置はそれぞれ複数ずつ設けられており、
前記複数の監視装置のそれぞれは、前記複数の携帯端末のうちいずれか１つの携帯端末とのみ無線接続することができる、
請求項１〜６のいずれかに記載のプラント監視システム。
【請求項１０】
前記監視装置への接続を促す画面には、前記監視装置と接続処理を開始するための接続ボタンが含まれており、前記接続ボタンが操作されると、前記携帯端末は前記監視装置に前記無線通信により前記所定の第２情報を送信する、
請求項８に記載のプラント監視システム。
【発明の詳細な説明】
【技術分野】
【０００１】
本発明は、プラント監視システムおよびプラント監視システムに用いられる携帯端末に関する。
【背景技術】
【０００２】
例えば、上下水道処理場、発電所、石油化学コンビナート、製鉄所などの各種プラントにおいては、プラントの状態を監視して制御するためのプラント監視システムが設けられている。
【０００３】
プラント監視システムは、表示装置と、表示装置に指示等を与えるための入力装置とを備える。オペレータは、タッチパネルまたはキーボードスイッチ等の入力装置を操作することで、所望の監視画面を呼び出したり、監視画面を切り替えたり、設備を操作したり、データを入力したりする（特許文献１）。
【０００４】
なお、保守対象の機器にＩＣタグを設けて、携帯端末はＩＣタグに対応する機器情報を取得するようにした技術は知られている（特許文献２）。
【０００５】
また、作業者の有する携帯端末に作業者を識別するためのＩＣタグを設け、作業者毎の作業内容を表示できるようにした技術も知られている（特許文献３）。
【０００６】
作業者の有する無線タグにより、操作権限を有する作業者であるかを自動的に判定するようにした技術も知られている（特許文献４）。
【先行技術文献】
【特許文献】
【０００７】
【特許文献１】特開２００４−１６４５１７号公報
【特許文献２】特開２０１１−２３７９５８号公報
【特許文献３】特開２００８−０５２４８０号公報
【特許文献４】特開２００７−２９９２２８号公報
【発明の概要】
【発明が解決しようとする課題】
【０００８】
一般的に、プラント監視システムでは、表示装置の手前に制御用の専用スイッチなどを配置する必要があるため、監視卓の上にキーボードおよびマウスのような入力装置を置くための場所を確保するのが難しい。
【０００９】
特許文献１に記載の従来技術では、従来のキーボード等からなる入力装置に代えて、タッチパネルを用いるため、オペレータの個人的特徴に応じた入力環境を実現することができる。しかし、この従来技術では、タッチパネルをシステムに接続するために、指紋または声紋、アイリスなどの生体認証を行う必要があり、接続を開始するための操作に手間がかかり、使い勝手が悪い。この従来技術では、接続時に手間がかかるため、タッチパネルをシステムにいったん接続した後は、そのまま接続し続けて使用することが多く、他のシステムにつなぎ替えるのが面倒である。
【００１０】
本発明は、上記課題に鑑みてなされたもので、その目的は、接続のための特別な操作をすることなく、携帯端末をマンマシンインターフェース装置として監視装置に無線接続でき、使い勝手を向上できるようにしたプラント監視システムおよびプラント監視システム用の携帯端末を提供することにある。
【課題を解決するための手段】
【００１１】
上記課題を解決すべく、本発明に係るプラント監視システムは、プラントの状態を監視するための少なくとも一つの監視装置と、監視装置に無線接続される携帯端末と、を備えている。そして、携帯端末を監視装置に対して所定の範囲内に位置させることで、監視装置は携帯端末の存在を検出し、携帯端末の存在を検出した監視装置が携帯端末に、無線通信により所定の第１情報を送信し、所定の第１情報を受信した携帯端末が監視装置に、無線通信により所定の第２情報を送信し、所定の第２情報を受信した監視装置は、携帯端末を、監視装置のマンマシンインターフェース装置として無線接続し、携帯端末に所定の画面を提供する。
【００１２】
携帯端末を監視装置に対して所定の範囲内に位置させるとは、携帯端末と監視装置が非接触で互いの存在を認識可能な範囲に位置させることを意味する。
【００１３】
携帯端末または監視装置は、互いの存在を定期的に監視することができる。
【００１４】
携帯端末は、所定周波数の電波を受信すると予め記憶している所定のコードを送信する無線タグを備えており、監視装置は、所定周波数の電波を定期的に送信し、携帯端末からの所定のコードを受信する受信装置を備えており、携帯端末が監視装置に対して所定の範囲内に位置すると、監視装置からの所定周波数の電波を携帯端末が受信して所定のコードを送信し、監視装置が所定のコードを受信することで携帯端末の存在を検出する、ように構成してもよい。
【発明の効果】
【００１５】
本発明によれば、接続のための特別な操作を行うことなく、携帯端末を監視装置のマンマシンインターフェース装置として無線接続することができ、プラント監視システムの使い勝手が向上する。
【図面の簡単な説明】
【００１６】
【図１】プラント監視システムの全体構成図である。
【図２】監視装置と携帯端末の接続方法を示す説明図である。
【図３】携帯端末に表示される操作画面と操作キーの例を示す。
【図４】監視装置の有する監視装置情報の構成図である。
【図５】監視装置の有する接続管理情報の構成図である。
【図６】監視装置の有する携帯端末登録情報の構成図である。
【図７】監視装置の有する監視装置認証情報の構成図である。
【図８】携帯端末の有する携帯端末情報の構成図である。
【図９】携帯端末に備え付けられる接続管理情報の構成図である。
【図１０】携帯端末の有する監視装置登録情報の構成図である。
【図１１】携帯端末の有する携帯端末認証情報の構成図である。
【図１２】監視装置が実行する接続監視処理を示すフローチャートである。
【図１３】携帯端末が実行する接続監視処理を示すフローチャートである。
【図１４】第２実施例に係り、監視装置と携帯端末の他の接続方法を示す。
【図１５】第３実施例に係り、異常事態の発生時に、各携帯端末に監視装置との接続を促す処理を示すフローチャートである。
【図１６】第４実施例に係り、異常事態の発生時に、監視装置が提供する画面構成を携帯端末の位置に応じて制御する様子を示すフローチャートである。
【図１７】携帯端末の現在位置に応じて、画面構成が異なることを模式的に示す説明図である。
【発明を実施するための形態】
【００１７】
以下、図面に基づいて、本発明の実施の形態を説明する。本実施形態では、以下に詳述するように、プラント監視システムは、監視対象システム２（プラント）の状態を監視するための少なくとも一つの監視装置１と、監視装置１に無線接続される携帯端末３と、を備えている。携帯端末３を監視装置１に対して所定の範囲内に位置させることで、監視装置１は携帯端末３の存在を検出する。携帯端末３の存在を検出した監視装置１は、携帯端末３に、無線通信により所定の第１情報（接続イベント）を送信する。所定の第１情報を受信した携帯端末３は、監視装置１に、無線通信により所定の第２情報（ＩＤおよびＰＷ等）を送信する。所定の第２情報を受信した監視装置１は、携帯端末３を、監視装置１のマンマシンインターフェース装置として無線接続し、携帯端末３に所定の画面（例えば図３）を提供する。
【００１８】
本実施形態では、所望の監視装置１と携帯端末３とを接続するためのオペレータによる特別な接続操作を無くし、ＩＣタグ３２のコードをＩＣタグ受信装置１３が読み取ることにより、もしくは、携帯端末３のカメラ部３５が監視装置１に設けられた２次元バーコード等を読み取ることにより、オペレータの希望する監視装置１とオペレータの所持する携帯端末３とを自動的に無線接続する。
【００１９】
また、本実施形態では、後述のように、携帯端末３が監視装置１から所定距離以上離れた場合は、無線による接続を解除し、携帯端末３を監視装置１のマンマシンインターフェース装置として使用できないようにする。
【００２０】
さらに、本実施形態では、後述のように、プラント２に異常事態が発生した場合は、予め登録されている１つまたは複数の携帯端末３に向けて、監視装置１に接続することを要求することができる。
【００２１】
さらに、本実施形態では、携帯端末３の位置に応じて、携帯端末３に提供する画面の構成を制御することで、プラント監視システムの信頼性を維持しつつ使い勝手を向上することができる。
【００２２】
但し、実施形態の記載は、本発明の理解及び実施に必要な範囲で本発明の構成を示したものであり、本発明の範囲は、実施形態の構成に限定されない。
【実施例１】
【００２３】
図１は、本実施形態におけるシステム構成の例である。プラント監視システムは、例えば、監視装置１と、監視対象システム２と、携帯端末３とを備える。図１では、監視装置１および携帯端末３をそれぞれ１つずつ示すが、実際には、複数ずつの監視装置１および携帯端末３が設けられる。監視装置１は、それぞれ異なる監視対象システム２を監視してもよいし、複数の監視装置１が同一の監視対象システム２を監視してもよい。
【００２４】
詳細はそれぞれ後述するが、監視装置１は、例えば、上下水処理場または発電所等の監視対象システム２の少なくとも一部を監視するための装置である。携帯端末３は、監視装置１に無線により接続され、監視装置１のマンマシンインターフェース装置として使用される装置であり、オペレータにより所持される。
【００２５】
監視対象システム２は、例えば、プラント機器２０と、プラント機器２０とコントローラ２２との間で情報を伝達するためのプロセスＩ／Ｏ装置２１と、コントローラ２２とを備える。プラント機器２０としては、例えば、バルブ、温度センサ、圧力センサ、流量センサ、電圧センサ、電流センサ、モータ、ヒータ、ポンプなどを挙げることができる。コントローラ２２はプラント機器２０を制御し、その制御による状態変化などは通信ネットワークＣＮ２を介して、監視装置１に送信される。
【００２６】
監視装置１は、監視装置本体１０と、監視装置本体１０に接続される表示装置１１と、監視装置本体１０に接続される入力装置１２と、監視装置本体１０に設けられるＩＣタグ受信装置１３と、監視装置本体１０と通信ネットワークＣＮ１を介して接続される無線送受信装置１４とを備える。
【００２７】
監視装置本体１０は、例えばマイクロプロセッサ、メモリ、補助記憶装置、入出力インターフェース回路、通信インターフェース回路などを有するコンピュータ装置として構成することができる。
【００２８】
監視装置本体１０は、メモリなどに記憶された所定のコンピュータプログラムをマイクロプロセッサが実行することで、後述する各機能Ｐ１０，Ｐ１１，Ｐ１２，Ｐ１３をそれぞれ実現する。
【００２９】
表示装置１１は、オペレータにより主に使用される主表示手段である。表示装置１１の表示領域１１ａには、監視画面１１ｂが表示される。監視画面１１ｂには、例えば、監視対象システム２についての構成図、系統図、所定の制御機器を操作するための操作キーなどが表示される。携帯端末３の表示装置３１には、表示装置１１に表示される監視画面１１ｂと同一内容の画面を表示させることができる。
【００３０】
入力装置１２は、例えば、表示装置１１の監視画面１１ｂへ文字または数字を入力するためのキーボード１２ａと、監視画面１１ｂでの選択位置情報を伝えるためのマウス１２ｂと、表示装置１１を指で直接触れることで監視画面１１ｂの選択位置情報を伝えるタッチパネル１２ｃを備える。キーボード１２ａおよびマウス１２ｂは、監視装置１にＵＳＢまたはＰＳ２等の接続インターフェースで接続される。
【００３１】
監視装置本体１０は、画面表示処理部Ｐ１０と、操作入力処理部Ｐ１１と、情報送受信処理部Ｐ１２と、接続監視処理部Ｐ１３とを備える。図中では、紙面の都合上、名称を簡略化して表示している。
【００３２】
画面表示処理部Ｐ１０は、表示装置１１での表示を制御する機能である。操作入力処理部Ｐ１１は、入力装置１２からの操作を受付けて、入力処理を行う機能である。情報送受信処理部Ｐ１２は、携帯端末３に表示させるための画面情報を送信すると共に、携帯端末３から入力される操作情報を受信する機能である。接続監視処理１６は、監視装置１と携帯端末３の接続を監視するために、監視装置情報Ｔ１１を情報送受信処理部Ｐ１２より携帯端末３へ送信する機能である。
【００３３】
監視装置本体１０は、監視情報Ｔ１０と、監視装置情報Ｔ１１と、接続管理情報Ｔ１２と、携帯端末登録情報Ｔ１３と、監視装置認証情報Ｔ１４とを備える。
【００３４】
監視情報Ｔ１０は、監視装置１とプラント機器２０とプロセスＩ／Ｏ装置２１とコントローラ２２とネットワークＣＮ２のそれぞれについて、その状態が変化したときに、その状態変化を記憶する。
【００３５】
図４に示すように、監視装置情報Ｔ１１は、監視装置１の装置番号Ｃ１１０と、監視装置１の設置位置をあらわす緯度Ｃ１１１および経度Ｃ１１２と、監視装置１と携帯端末３の有効接続範囲を示す接続範囲Ｃ１１３とを、管理する。監視装置情報Ｔ１１は、監視システムを構築する際に作成され、監視装置本体１０に記憶される。
【００３６】
図５に示すように、接続管理情報Ｔ１２は、監視装置１の接続状態Ｃ１２０と、監視装置１に接続される携帯端末３の装置番号Ｃ１２１と、携帯端末３に設定されるＩＤ  Ｃ１２２およびパスワードＣ１２３と、携帯端末３のＩＣタグ３２に設定されるＩＣタグコードＣ１２４を管理する。接続管理情報Ｔ１２には、監視装置１と携帯端末３とが接続されるときに、携帯端末３から受信した携帯端末情報Ｔ３０の内容が登録される。携帯端末３と監視装置１との接続が解除されると、接続管理情報Ｔ１２の内容は消去される。
【００３７】
図６に示すように、携帯端末登録情報Ｔ１３は、携帯端末３の装置番号Ｃ１３４毎に、ＩＤ  Ｃ１３０と、パスワードＣ１３１と、ＩＣタグコードＣ１３２と、ＩＰアドレスＣ１３３とを管理する。携帯端末登録情報Ｔ１３は、監視システムを構築する際に作成されて、監視装置本体１０に記憶される。つまり、プラント監視システムで使用される可能性のある全ての携帯端末３について、事前に情報が監視装置１に登録される。
【００３８】
図７に示すように、監視装置認証情報Ｔ１４は、監視装置１を識別するための２次元バーコードＣ１４０および色コードＣ１４１を管理する。監視装置認証情報Ｔ１４は、後述する実施例で使用される。後述の実施例では、各監視装置本体１０の所定の場所（例えば前面側など）に、２次元バーコードを貼付したり、所定の色彩のシールなどを貼付したりする。２次元バーコードを読み取って得られる値Ｃ１４０と、シールの色彩Ｃ１４１とは、監視装置１に対応づけられる。監視装置認証情報Ｔ１４は、監視システムの構築時に作成されて、監視装置本体１０に記憶される。
【００３９】
プラント機器２０およびコントローラ２２の、状態および異常警報に関する情報は、通信ネットワークＣＮ２を経由して監視装置１に送信される。監視装置１に受信された情報は、監視情報Ｔ１０として、監視装置１内の補助記憶装置などに記憶される。そして、監視情報Ｔ１０は、画面表示処理部Ｐ１０により監視画面１１ｂに反映されて、表示装置１１に表示される。
【００４０】
オペレータが、表示装置１１の監視画面１１ｂに対して、キーボード１２ａ、マウス１２ｂおよびタッチパネル１２ｃを用いて操作要求を入力すると、その操作要求は操作入力処理部Ｐ１１が受け付けて、コントローラ２２に送信する。コントローラ２２は、監視装置１から受信した操作要求に従って、プラント機器２０を制御する。
【００４１】
携帯端末３は、例えば、マイクロプロセッサ、メモリ、補助記憶装置、通信装置、インターフェース回路などを備えるコンピュータ端末である。携帯端末３は、情報を表示する機能、監視装置１を検出する機能、監視装置１に接続する機能、監視装置１に情報または操作要求などを入力する機能、管理情報を記憶する機能などを有する。
【００４２】
携帯端末３は、オペレータ毎にそれぞれ用意されてもよいし、複数の携帯端末３を複数のオペレータが共同で使用してもよい。オペレータ毎に専用の携帯端末３を用意する場合は、そのオペレータを識別するための情報（ＩＤ、パスワードなど）を変更したり、使用のたびに毎回登録したりする必要がなく、利便性が高い。複数の携帯端末３を共同使用する場合は、オペレータを識別するための情報を毎回登録する手間がかかるが、１つまたは複数の携帯端末３が故障した場合でも、他の携帯端末３を用いて、監視作業に使用することができる。
【００４３】
携帯端末３は、監視装置１に無線接続されて使用される。携帯端末３は、監視装置本体１０の近くに置かれて使用される場合もあるし、オペレータに所持されて監視装置本体１０から離れた場所から使用される場合もある。携帯端末３は、副表示手段および副操作手段として使用することができる。なお、後述のように、携帯端末３と監視装置１とが所定距離以上離れると、携帯端末３と監視装置１との接続が解除される。
【００４４】
つまり、携帯端末３は、監視装置本体１０に常時接続されている主表示手段としての表示装置１１および主操作手段としての入力装置１２を必要に応じて補うものである。
【００４５】
図１に示すように、携帯端末３は、例えば、表示装置３１、ＩＣタグ３２、認証検知部３３、無線送受信部３４、カメラ部３５と、ＧＰＳ（Global Positioning System）３６を備える。
【００４６】
表示装置３１は、操作に関連する操作画面３１ｂと操作キー３１ｃとを表示し、操作画面３１ｂおよび操作キー３１ｃを操作するためのタッチパネルとなる表示領域３１ａを有する。なお、携帯端末３にマイクロフォンおよび音声認識装置などを設け、オペレータの音声による指示に応じて、操作できる構成としてもよい。
【００４７】
認証検知部３３は、本人確認を行うための装置または機能である。ＩＣタグ３２は、例えば、１３．５６ＭＨｚ帯の所定の電波を発信するための装置である。ＩＣタグ３２は、例えば、監視装置１のＩＣタグ受信装置１３から電波を受信すると、メモリに予め記憶されているＩＣタグコードを読み出して、このＩＣタグコードを所定の電波に乗せて、送信する。ＩＣタグ３２は、ＩＣタグ受信装置１３から受信した電波を利用して電力を得る構成でもよいし、ＩＣタグ３２内に電池を備える構成でもよい。
【００４８】
無線送受信部３４は、所定周波数の電波を用いて、監視装置１側の無線送受信装置１４と通信するための装置である。所定周波数の電波としては、例えば、ＩＥＥＥ８０２．１５．１、ＩＥＥＥ８０２．１１ａ、ＩＥＥＥ８０２．１１ｂ、ＩＥＥＥ８０２．１１ｇなどの規格による電波を挙げることができる。
【００４９】
携帯端末３のマイクロプロセッサが、所定のコンピュータプログラムを実行することで、画面表示処理部Ｐ３０と、操作入力処理部Ｐ３１と、情報送受信処理部Ｐ３２と、接続監視処理部Ｐ３３とを実現する。
【００５０】
画面表示処理部Ｐ３０は、表示装置３１での表示を制御する機能である。操作入力処理部Ｐ３１は、操作キー３１ｃを用いた操作要求（操作入力）を処理する機能であり、表示装置３１に入力された操作要求は、無線通信により監視装置１に送信させる。
【００５１】
情報送受信処理部Ｐ３２は、監視装置１の情報送受信処理部Ｐ１２との間で、監視画面および操作キーを表示するための情報、操作に関する情報、接続に関する情報を、無線通信で送受信する機能である。接続監視処理部Ｐ３３は、監視装置１と携帯端末３との接続状態を監視するための機能であり、携帯端末３が監視装置１に接続される場合は、携帯端末情報Ｔ３０を監視装置１に送信する。
【００５２】
携帯端末３は、携帯端末情報Ｔ３０と、接続管理情報Ｔ３１と、監視装置登録情報Ｔ３２と、携帯端末認証情報Ｔ３３とを備える。
【００５３】
図８に示すように、携帯端末情報Ｔ３０は、携帯端末３の装置番号Ｃ３００と、ＩＤ  Ｃ３０１と、パスワードＣ３０２を管理する。携帯端末情報Ｔ３０は、監視システムの構築時に作成されて、携帯端末３に記憶される。
【００５４】
図９に示すように、接続管理情報Ｔ３１は、携帯端末３の接続状態Ｃ３１０と、接続先の監視装置１を識別する装置番号Ｃ３１１と、監視装置１の位置を特定する緯度Ｃ３１２および経度Ｃ３１３と、接続範囲Ｃ３１４と、接続先の監視装置１に対応する２次元バーコードＣ３１５および色コードＣ３１６を管理する。携帯端末３と監視装置１とが接続されるときに、監視装置１から取得する監視装置情報Ｔ１１の内容が接続管理情報Ｔ３１に登録される。携帯端末３と監視装置１との接続が解除された場合、接続管理情報Ｔ３１に登録された内容（監視装置情報Ｔ１１からコピーされた値）は消去される。
【００５５】
図１０に示すように、監視装置登録情報Ｔ３２は、監視装置１の装置番号Ｃ３２３ごとに、２次元バーコードＣ３２０と、色コードＣ３２１と、ＩＰアドレスＣ３２２とを管理する。監視システムを構築する際に、監視装置登録情報Ｔ３２が作成されて、携帯端末３に記憶される。
【００５６】
図１１に示すように、携帯端末認証情報Ｔ３３は、携帯端末３を識別するためのＩＣタグコードＣ３３０を記憶する。監視システムの構築時に、携帯端末認証情報Ｔ３３が作成されて、携帯端末３に記憶される。
【００５７】
監視装置１と携帯端末３の画面表示および操作について説明する。監視装置１の監視画面１１ｂにおいて、操作画面および操作キーの表示が必要な場合、つまり操作対象となりうるものが監視画面１１ｂに表示されている場合は、操作対象の情報が携帯端末３に送信される。
【００５８】
操作対象の情報は、情報送受信処理部Ｐ１２から通信ネットワークＣＮ１を介して無線送受信装置１４に転送され、無線送受信装置１４から携帯端末３の無線送受信部３４に向けて送信される。無線送受信部３４により受信された操作対象の情報は、情報送受信処理部Ｐ３２から画面表示処理部Ｐ３０に引き渡される。画面表示処理部Ｐ３０は、操作画面３１ｂと操作キー３１ｃを描画し、表示装置３１の表示領域３１ａに表示する。
【００５９】
オペレータは、監視装置１の表示装置１１を見て、監視装置１の入力装置１２から操作してもよいし、または、携帯端末３の表示装置３１を見て、表示装置３１のタッチパネル機能を用いて操作してもよい。さらには、オペレータは、監視装置１の表示装置１１を見て、携帯端末３の表示装置３１から操作してもよいし、または、携帯端末３の表示装置３１を見て、監視装置１の入力装置１２から操作してもよい。
【００６０】
オペレータは、直接操作領域でもある表示領域３１ａを指でなぞることで、プラント機器２０を制御するコントローラ２２に向けて操作要求を与えることができる。具体的には、オペレータは、操作キー３１ｃなどを指で操作する。
【００６１】
表示装置３１に入力された操作要求は、操作入力処理部Ｐ３１により受け付けられ、情報送受信処理部Ｐ３２から無線送受信部３４に転送される。無線送受信部３４から送信された操作要求は、無線送受信装置１４に受信される。無線送受信装置１４で受信された操作要求は、通信ネットワークＣＮ１を経由して情報送受信処理部Ｐ１２へ送信され、コントローラ２２に送られる。
【００６２】
複数設置されている監視装置１と複数用意されている携帯端末３とを接続する方法について、図１２および図１３を参照して説明する。図１２は、監視装置１で実行される接続監視処理を示す。図１３は、携帯端末３で実行される接続監視処理を示す。
【００６３】
監視装置１が複数設置されている場合、或る一つの携帯端末３を所望の監視装置１に接続するためには、接続のためのオペレータによる特別な操作が必要になる。しかし、本実施例では、後述のように、ＩＣタグ３２のＩＣコードをＩＣタグ受信装置１３が受信することで、特定の監視装置１に接続を希望している携帯端末３の存在を検知する。
【００６４】
この検知をトリガとして、接続処理が自動的に開始されるため、オペレータがＩＤおよびパスワードを手動で入力したり、特定のボタンを操作したりする必要がない。オペレータは、所望の監視装置１のＩＣタグ受信装置１３に携帯端末３のＩＣタグ３２を近づけるだけで、所望の監視装置１と携帯端末３との接続処理を開始させることができる。
【００６５】
監視装置１の無線送受信装置１４は、携帯端末３のＩＣタグ３２からの電波を受信すると、監視装置１の接続監視処理部Ｐ１３は、その電波に含まれているＩＣタグコードＣ３３０（図１１）を抽出する。
【００６６】
接続監視処理部Ｐ１３は、接続管理情報Ｔ１２の接続状態Ｃ１２０を参照し、監視装置１の接続状態を判定する（Ｓ１０）。接続状態Ｃ１２０の値が「未接続」の場合、接続監視処理部Ｐ１３は、携帯端末３から受信したＩＣタグコードＣ３３０を、接続管理情報Ｔ１２のＩＣタグコードＣ１２４へ格納する（Ｓ１３）。
【００６７】
接続監視処理部Ｐ１３は、接続管理情報Ｔ１２のＩＣタグコードＣ１２４に格納されたＩＣタグコードＣ３３０が、携帯端末登録情報Ｔ１３のいずれかのＩＣタグコードＣ１３２に登録された値と一致することを確認する（Ｓ１４）。
【００６８】
携帯端末３から受信したＩＣタグコードＣ３３０が、監視装置１に登録されている複数の携帯端末３のうちいずれかのＩＣタグコードＣ１３２に一致する場合、接続監視処理部Ｐ１３は、ＩＣタグコードＣ３３０を受信した携帯端末３に接続可能であると判定し（Ｓ１４）、接続管理情報Ｔ１２の監視装置１の接続状態Ｃ１２０の値を「未接続」から「接続待ち」に変更する（Ｓ１５）。
【００６９】
接続監視処理部Ｐ１３は、接続管理情報Ｔ１２のＩＣタグコードＣ１２４に一致するＩＣタグコードＣ１３２に基づいて、携帯端末登録情報Ｔ１３の携帯端末３のＩＰアドレスＣ１３３を取得する。
【００７０】
接続監視処理部Ｐ１３は、接続イベントを発行する（Ｓ１６）。接続イベントとは、携帯端末３からＩＤおよびパスワード等の所定の情報を送信させるための情報である。接続イベントと一緒に、または接続イベントの中に含められて、監視装置１の情報を示す監視装置情報Ｔ１１（図４）も監視装置１から携帯端末３に送信される。
【００７１】
接続イベントは、情報送受信処理部Ｐ１２から通信ネットワークＣＮ１を介して無線送受信装置１４に送られ、無線送受信装置１４から送信される。接続イベントは、無線送受信部３４で受信されて、携帯端末３の接続監視処理部Ｐ３３に送られる。
【００７２】
そこで、図１３を参照して、携帯端末３の接続監視処理部Ｐ３３の動作を説明する。接続監視処理部Ｐ３３は、接続管理情報Ｔ３１を参照して、携帯端末３の接続状態Ｃ３１０の値を判定する（Ｓ２０）。
【００７３】
携帯端末３の接続状態Ｃ３１０が「未接続」に設定されている場合、接続監視処理部Ｐ３３は、受信した接続イベントおよび監視装置情報Ｔ１１を、接続管理情報Ｔ３１へ格納する（Ｓ２１）。
【００７４】
接続監視処理部Ｐ３３は、接続管理情報Ｔ３１の装置番号Ｃ３１１の値と一致する、監視装置登録情報Ｔ３２の装置番号Ｃ３２３を検出し、その装置番号Ｃ３２３に対応づけられているＩＰアドレスＣ３２２を取得する。
【００７５】
接続監視処理部Ｐ３３は、取得したＩＰアドレスを有する監視装置１と、情報送受信処理部Ｐ３２と無線送受信部３４と無線送受信装置１４および通信ネットワークＣＮ１とを経由して、接続する（Ｓ２２）。
【００７６】
監視装置１と接続するに際して、接続監視処理部Ｐ３３は、接続管理情報Ｔ３１の接続状態Ｃ３１０を「未接続」から「接続中」に変更し（Ｓ２３）、携帯端末情報Ｔ３０（図８）を情報送受信処理部Ｐ３２より無線送受信部３４および無線送受信装置１４などを介して、監視装置１へ送信する。
【００７７】
図１２に戻って、監視装置１の接続監視処理部Ｐ１３の動作を説明する。接続監視処理部Ｐ１３は、接続管理情報Ｔ１２の接続状態Ｃ１２０を確認する（Ｓ１０）。接続状態Ｃ１２０は、前記ステップＳ１５で「接続待ち」に設定されている。そこで、接続監視処理部Ｐ１３は、携帯端末３から受信した携帯端末情報Ｔ３０を接続管理情報Ｔ１２へ格納し（Ｓ１１）、さらに、接続管理情報Ｔ１２で管理されている監視装置１の接続状態Ｃ１２０を「接続待ち」から「接続中」に変更する（Ｓ１２）。
【００７８】
以上が携帯端末３を複数の監視装置１のうちのいずれか所望の監視装置１に接続する場合の処理である。上述の通り、オペレータは、ＩＣタグ３２とＩＣタグ受信装置１３とが通信できるように、携帯端末３を監視装置１に近づけるだけで、その監視装置１に接続でき、その監視装置１で利用可能なマンマシンインターフェース装置を拡張できる。オペレータは、携帯端末３を監視装置１に近づける以外の特別な操作を行う必要はない。
【００７９】
続いて、携帯端末３と監視装置１との接続を自動的に解除する方法を、図１３のフローチャートを参照して説明する。以下に述べるように、接続を解除する場合も、切り離しのための特別な操作は必要ない。
【００８０】
携帯端末３と監視装置１とが接続されるときに、監視装置情報Ｔ１１の緯度Ｃ１１１および緯度Ｃ１１２は、携帯端末３の接続管理情報Ｔ３１の緯度Ｃ３１２および経度Ｃ３１３に格納されている。
【００８１】
携帯端末３の接続監視処理部Ｐ３３は、接続管理情報Ｔ３１の接続状態Ｃ３１０が「接続中」に設定されている場合、携帯端末３のＧＰＳ装置３６から位置情報を取得し（Ｓ２８）、携帯端末３の現在位置が所定範囲内にあるか判定する（Ｓ２９）。
【００８２】
所定範囲とは、接続先の監視装置１の設置位置から、接続管理情報Ｔ３１の接続範囲Ｃ３１４に格納されている距離の範囲である。携帯端末３が接続先の監視装置１を中心とする所定範囲内から外れた場合（Ｓ２９：ＮＯ）、接続監視処理部Ｐ３３は、接続管理情報Ｔ３１から接続先の監視装置１に関する監視装置情報Ｔ１１の内容を消去し（Ｓ３０）、さらに、接続状態Ｃ３１０を「接続中」から「未接続」に変更する（Ｓ３１）。これにより、携帯端末３と監視装置１との接続は解除される。
【００８３】
このように例えば、オペレータが携帯端末３を所持したままで、監視室からプラント機器２０の設置されている現場に向かった場合、接続先の監視装置１との接続が自動的に解除される。オペレータは、監視室に再び入室した場合、最初に接続していた監視装置１に再接続してもよいし、最初の監視装置１とは異なる監視装置１に接続してもよい。
【００８４】
ただし、１つの監視装置１には、１つの携帯端末３のみ接続可能である。監視装置１の接続監視処理部Ｐ１３は、接続管理情報Ｔ１２の装置番号Ｃ１２１に携帯端末３の装置番号が設定されている場合、その携帯端末３とのみ通信を許可する。装置番号Ｃ１２１に装置番号が設定されていない他の携帯端末３は、その監視装置１に接続できない。この場合、他の携帯端末３は、未だ携帯端末３の接続されていない他の監視装置１に接続することができる。
【００８５】
１つの監視装置１には１つの携帯端末３のみ接続可能であるため、複数の携帯端末３から同時に操作要求が入力されるのを未然に防止することができ、誤操作の発生を抑制し、監視システムの信頼性を維持することができる。
【００８６】
さらに、１つの携帯端末３が複数の監視装置１に接続することを防止するために、携帯端末３の接続監視処理部Ｐ３３は、接続管理情報Ｔ３１に監視装置情報Ｔ１１の内容が登録されている場合、他の監視装置１から発行された接続イベントを受け付けない。これにより、誤操作の発生を防止して監視システムの信頼性を維持できる。
【００８７】
監視装置１にログインしてプラント機器２０などを制御するためには、本人認証が必要となる。本実施例では、監視装置１の操作権限を得るための作業者のＩＤ  Ｃ１３０およびパスワードＣ１３１が、携帯端末３の装置番号Ｃ１３４ごとに、携帯端末登録情報Ｔ１３に登録されている（図６）。
【００８８】
一方、携帯端末３の携帯端末情報Ｔ３０には、携帯端末３を使用している作業者のＩＤ  Ｃ３０１およびパスワードＣ３０２が登録されている（図８）。携帯端末３は、監視装置１と接続する際に、監視装置１に携帯端末情報Ｔ３０を送信する。監視装置１の接続監視処理部Ｐ１３は、携帯端末登録情報Ｔ１３に登録されているＩＤ  Ｃ１３０およびパスワードＣ１３１と接続管理情報Ｔ１２のＩＤ  Ｃ１２２およびパスワードＣ１２３とを照合することで認証する。認証が成功すれば操作権限が与えられる。認証に失敗したら、エラーメッセージなどが携帯端末３に送信されて表示される。
【００８９】
このように構成される本実施例によれば、オペレータは、携帯端末３のＩＣタグ３２と監視装置１のＩＣタグ受信装置１３とが通信できるように、携帯端末３を所望の監視装置１に近づけるだけで、携帯端末３と所望の監視装置１を自動的に接続できる。従って、オペレータは、接続のために特別な作業または操作を行う必要がなく、監視システムの使い勝手を向上できる。
【００９０】
また、本実施例では、携帯端末３を監視装置１のマンマシンインターフェース装置として接続する。このため、監視装置１とオペレータとが情報を交換する手段として、表示装置１１および入力装置１２だけでなく、携帯端末３も使用できる。従って、監視作業の作業環境が拡張され、作業効率が高まる。
【００９１】
本実施例では、１つの携帯端末３は１つの監視装置１にのみ接続でき、１つの監視装置１には１つの携帯端末３のみ接続できるようにした。従って、誤った操作が入力されるのを防止でき、監視システムの信頼性を維持することができる。
【実施例２】
【００９２】
図１４を参照して第２実施例を説明する。なお、以下に述べる各実施例は、第１実施例の変形例に相当するため、第１実施例との相違点を中心に説明する。
【００９３】
本実施例では、監視装置１を検出して識別するための手段として、２次元バーコードおよび／または色コード１５（以下、バーコード等１５と呼ぶ場合がある）を用いる。各監視装置１の監視装置本体１０には、バーコード等１５が予め設けられている。２次元バーコードまたは色コードのいずれか一方のみで監視装置１を識別する構成でもよい。
【００９４】
本実施例では、カメラ部３５は、常時、周囲を撮影できる状態になっている。オペレータは、所望の監視装置１にカメラ部３５を向けるだけでよい。
【００９５】
バーコード等１５を用いる場合の接続処理の方法を説明する。携帯端末３の接続監視処理部Ｐ３３は、常時撮影ができる状態となっている携帯端末３のカメラ部３５を介して、所望の監視装置１に設けられているバーコード等１５の画像を撮影し、その撮影した画像を処理して、監視装置認証情報Ｔ１４の２次元バーコードＣ１４０および色コードＣ１４１に変換する。
【００９６】
接続監視処理部Ｐ３３は、接続管理情報Ｔ３１の接続状態Ｃ３１０が「未接続」であり、かつ、接続イベントを未だ受信していない場合（Ｓ２４：Ｎｏ）、撮影画像から取得した２次元バーコードＣ１４０および色コードＣ１４１を、接続管理情報Ｔ３１の２次元バーコードＣ３１５および色コードＣ３１６に格納する（Ｓ２５）。
【００９７】
接続監視処理部Ｐ３３は、接続管理情報Ｔ３１の２次元バーコードＣ３１５および色コードＣ３１６と、監視装置登録情報Ｔ３２の２次元バーコードＣ３２０および色コードＣ３２１とを照合することで、接続できることを確認する（Ｓ２６）。
【００９８】
接続可能であると判定した場合（Ｓ２６：可）、接続監視処理部Ｐ３３は、接続先となる監視装置１のＩＰアドレスＣ３２２を取得し、情報送受信処理部Ｐ３２から無線送受信部３４等を介して、監視装置１へ携帯端末情報Ｔ３０を送信する（Ｓ２７）。接続できない場合（Ｓ２６：不可）、処理を終了する。
【００９９】
図１２に示すように、監視装置１の接続監視処理部Ｐ１３は、受信した携帯端末情報Ｔ３０を接続管理情報Ｔ１２へ格納する（Ｓ１３）。接続監視処理部Ｐ１３は、接続の可否を判定し（Ｓ１４）、接続管理情報Ｔ１２の装置番号Ｃ１２１と携帯端末登録情報Ｔ１３の装置番号Ｃ１３４とに基づいて、携帯端末３のＩＰアドレスＣ１３３を取得する。
【０１００】
接続監視処理部Ｐ１３は、接続状態Ｃ１２０を「未接続」から「接続待ち」に変更した後（Ｓ１５）、情報送受信処理部Ｐ１２から無線送受信装置１４等を介して、携帯端末３に接続イベントおよび監視装置情報Ｔ１１を送信する（Ｓ１６）。
【０１０１】
図１３に示すように、携帯端末３の接続監視処理部Ｐ３３は、受信した監視装置情報Ｔ１１を接続管理情報Ｔ３１へ格納する（Ｓ２１）。接続監視処理部Ｐ３３は、情報送受信処理部Ｐ３２、無線送受信部３４、無線送受信装置１４、および通信ネットワークＣＮ１を経由して、監視装置１と接続する。
【０１０２】
このとき、携帯端末３の接続監視処理部Ｐ３３は、接続管理情報Ｔ３１の接続状態Ｃ３１０を「接続待ち」から「接続中」に変更し（Ｓ２３）、携帯端末３の携帯端末情報Ｔ３０を監視装置１へ送信する。
【０１０３】
監視装置１の接続監視処理部Ｐ１３は、受信した携帯端末情報Ｔ３０を接続管理情報Ｔ１２へ格納し（Ｓ１１）、接続管理情報Ｔ１２の接続状態Ｃ１２０を「接続待ち」から「接続中」に変更する（Ｓ１２）。
【０１０４】
このように構成される本実施例も第１実施例と同様に、携帯端末３を監視装置１に対して所定の範囲内に位置させるだけで、携帯端末３と監視装置１との接続処理を開始させることができ、携帯端末３を監視装置１のマンマシンインターフェース装置として接続することができる。
【０１０５】
さらに、本実施例では、ＩＣタグ３２に代えて、２次元バーコードおよび／または色コード１５を用いるため、第１実施例よりも構成を簡素化でき、監視システムのコストを低減することができる。
【実施例３】
【０１０６】
図１５を参照して、第３実施例を説明する。本実施例では、監視対象システム２に異常が生じた場合の対応方法を説明する。本実施例では、理解の容易のために、図１２および図１３に示すフローチャートと異なる形式で、接続監視処理を示す。
【０１０７】
監視対象システム２で異常が発生すると、その異常を知らせるための警報（信号または情報）がコントローラ２２を介して監視装置１に入力される。監視装置１は、その警報に基づいて、監視対象システム２に異常が生じたか判定する（Ｓ４０）。
【０１０８】
異常が発生したと判定した場合であって、かつ、その異常を検知した監視装置１に１台も携帯端末３が接続されていないと判定した場合（Ｓ４０：ＹＥＳ）、監視装置１は、携帯端末登録情報Ｔ１３に事前に登録されている各携帯端末３に向けて、接続を要請するためのイベントおよび監視装置１の監視装置情報Ｔ１１を送信する（Ｓ４１）。
【０１０９】
接続イベントを受信した携帯端末３の接続監視処理部Ｐ３３は、監視装置情報Ｔ１１を接続管理情報Ｔ３１へ格納する（Ｓ４２）。さらに、接続監視処理部Ｐ３３は、携帯端末３の接続状態Ｃ３１０を「未接続」から「緊急受付」に変更し、画面表示処理部Ｐ３０の表示領域３１ａに、異常状態が発生した旨のメッセージと接続ボタン３１ｄを表示する（Ｓ４３）。
【０１１０】
オペレータが接続ボタン３１ｄを押すと（Ｓ４４：Ｙｅｓ）、操作入力処理部Ｐ３１は、接続ボタン３１ｄが操作されたことを検知して、接続監視処理部Ｐ３３に知らせる。接続監視処理部Ｐ３３は、接続管理情報Ｔ３１の接続状態Ｃ３１０を「未接続」から「接続処理中」に変更し、接続管理情報Ｔ３１に基づいて接続すべき監視装置１を特定し、その監視装置１に向けて携帯端末情報Ｔ３０を送信する（Ｓ４５）。
【０１１１】
監視装置１の接続監視処理部Ｐ１３は、受信した携帯端末情報Ｔ３０を接続管理情報Ｔ１２へ格納して認証し（Ｓ４６）、返信のあった携帯端末３に向けて接続イベントおよび監視装置情報Ｔ１１を送信する。携帯端末３の接続監視処理部Ｐ３３は、受信した接続イベントおよび監視装置情報Ｔ１１を接続管理情報Ｔ３１へ格納し、携帯端末３の接続状態Ｃ３１０を「接続中」に変更し、監視装置１と接続する。
【０１１２】
これにより、監視装置１は、携帯端末３に向けて、監視対象システム２の状況を確認したり、操作したりするための画面を送信する（Ｓ４７）。携帯端末３の表示装置３１は、監視装置１から受信した画面を表示する（Ｓ４８）。
【０１１３】
オペレータは、携帯端末３の表示装置３１に表示された画面を指先またはペンなどで操作することで、操作要求を入力したり、状況を確認したりできる（Ｓ４９）。監視装置１は、携帯端末３から入力された操作要求などに従って、処理を行う（Ｓ５０）。例えば、監視装置１は、携帯端末３からの操作要求に従って、監視対象システム２のコントローラ２２に指示を与える。
【０１１４】
監視装置１の接続監視処理部Ｐ１３は、他の携帯端末３に向けて、接続要請を解除するための要請解除イベントを発行する（Ｓ５１）。その要請解除イベントを受信した携帯端末３の接続監視処理部Ｐ３３は、表示領域３１ａから接続ボタン３１ｄを消去する。
【０１１５】
このように構成される本実施例は、第１実施例および第２実施例の両方と結合させることができ、第１実施例または第２実施例と同様の作用効果を奏する。
【０１１６】
さらに、本実施例では、監視対象システム２に異常が発生した場合に、その異常を検知した監視装置１は、予め登録されている複数の携帯端末３に向けて、監視装置１との接続を要請する。このため、本実施例では、監視室にオペレータが不在の場合でも、速やかに監視対象システム２を監視して必要な操作要求を与えることができ、監視システムの信頼性を高めることができる。
【０１１７】
また、本実施例では、各携帯端末３のうちいずれか１つの携帯端末３が監視装置１に接続した場合は、他の携帯端末３に対する接続要請を解除し、接続ボタン３１ｄを表示装置３１の表示領域３１ａから消去する。従って、他のオペレータは、誰かが既に監視装置１を操作していることを知ることができ、使い勝手が向上するとともに、複数の携帯端末３が１つの監視装置１に同時に接続されるのをさらに防止できる。
【実施例４】
【０１１８】
図１６，図１７を参照して第４実施例を説明する。本実施例では、異常事態が発生した場合に、各携帯端末３の位置に応じて、監視装置１が各携帯端末３に提供する画面構成を制御する。
【０１１９】
図１６は、本実施例による接続監視処理のフローチャートである。図１６の処理中、Ｓ６０〜Ｓ６６、Ｓ６８〜Ｓ７０は、図１５で述べたＳ４０〜Ｓ４６、Ｓ４８〜Ｓ５０と同様であるため、説明を省略する。
【０１２０】
本実施例の監視装置１は、携帯端末３の属するエリアを識別する識別子と、そのエリアに存在する携帯端末３に提供すべき画面構成を定義した情報とを対応づけて管理するための画面構成管理テーブルＴ３４を備える。監視装置１は、画面構成管理テーブルＴ３４と携帯端末３から取得した位置情報とに基づいて、携帯端末３の位置に応じた画面を提供する（Ｓ６７）。
【０１２１】
図１７を参照して説明する。監視装置１を中心として、複数のエリア１，２，３が設定されている。上位エリア１は、例えば、監視対象システム２の存在する場所として設定されている。例えば、監視対象のプラントの存在する工場内が上位エリア１となる。中位エリア２は、監視対象システム２の存在する場所以外の場所として設定される。例えば、監視対象システム２の近傍の都市などである。下位エリア３は、監視対象システム２の存在する場所以外の場所のうち、特にセキュリティの点で劣る場所として設定される。例えば、外国、競合他社の存在する建物の場所などが下位エリア３として設定される。
【０１２２】
上位エリア１に位置する携帯端末３には、異常状況の確認と、操作要求を発行することのできる画面が監視装置１から提供される。上位エリア１に存在する携帯端末３には、第１実施例で述べた携帯端末３に許可された全ての操作権限を与えることができる。
【０１２３】
監視装置１からやや離れた中位エリア２に位置する携帯端末３には、例えば、異常状況の確認と、現在監視装置１にログインして操作しているオペレータのニックネームと、異常事態から回復したかを示す情報とを含む画面が、監視装置１から提供される。つまり、中位エリア２に位置する携帯端末３には、操作要求を発行するための構成（操作画面３１ｂ、操作キー３１ｃ）が含まれていない。中位エリア２に位置する携帯端末３は、操作権限が制限される。なお、既にログイン済みのオペレータについて、その本名またはＩＤを表示するのではセキュリティ性が低下する可能性があるため、事前に登録されたニックネームを表示する。
【０１２４】
監視装置１から離れた下位エリア３は、機密保持の難しいエリアであると考えられているため、そこに位置する携帯端末３には、異常事態が発生したことのみ表示する。異常事態の具体的状況は、表示されない。また、異常事態に対処するための操作要求を発行する構成も表示されない。
【０１２５】
このように構成される本実施例も、第１実施例および第２実施例の両方に結合させることができ、第１実施例または第２実施例と同様の作用効果を奏する。
【０１２６】
さらに、本実施例では、異常事態の発生時に、上位エリア１に存在する携帯端末３のうちいずれか１台の携帯端末３のみを、操作要求の発行可能な端末として監視装置１に接続する。上位エリア１以外の他のエリア２，３に位置する携帯端末３は、操作要求を発行することのできない端末として、限定的に監視装置１に接続する。従って、操作可能な携帯端末３の数を１つに制限しつつ、他の携帯端末３を遠隔から監視のみするための監視専用端末として利用でき、使い勝手が向上する。
【０１２７】
さらに、予め登録される下位エリア３に位置する携帯端末３には、異常事態の発生のみを通知し、異常事態の状況すら表示させない。従って、監視対象システム２に関する機密が漏洩するのを未然に抑制することができ、監視システムの信頼性が高まる。
【０１２８】
操作要求の発行権限を有さない携帯端末３には、監視装置１から直接情報を提供するのではなく、監視装置１とは別に設けられる参照専用のサーバから情報を提供する構成としてもよい。
【０１２９】
なお、本発明は、上述した実施例に限定されない。当業者であれば、本発明の範囲内で、種々の追加や変更等を行うことができる。
【符号の説明】
【０１３０】
１：監視装置、２：監視対象システム、３：携帯端末
【図１】
0005793464.tif 000002
【図２】
0005793464.tif 000003
【図３】
0005793464.tif 000004
【図４】
0005793464.tif 000005
【図５】
0005793464.tif 000006
【図６】
0005793464.tif 000007
【図７】
0005793464.tif 000008
【図８】
0005793464.tif 000009
【図９】
0005793464.tif 000010
【図１０】
0005793464.tif 000011
【図１１】
0005793464.tif 000012
【図１２】
0005793464.tif 000013
【図１３】
0005793464.tif 000014
【図１４】
0005793464.tif 000015
【図１５】
0005793464.tif 000016
【図１６】
0005793464.tif 000017
【図１７】
0005793464.tif 000018